(57)【特許請求の範囲】
【請求項１】
側面（１２０）と下端面（１１０）で構成され、上端面は開放されている本体（１００）と；
前記下端面（１１０）の下に配置され、前記下端面（１１０）の下へ延長された前記側面（１２０）に固定されるし、少なくとも二つの排水口（２９０）が備えられている排水タンク（２００）と；
少なくとも二つの前記排水口（２９０）を開閉させる少なくとも二つの排水バルブ（３００）とを備え、
前記本体（１００）の前記下端面（１１０）には、前記排水タンク（２００）と貫通される複数の貫通孔１１１が形成され、
前記下端面（１１０）には、前記本体（１００）に入れられた水を前記排水タンク（２００）に移動させるために、前記側面（１２０）に装着されているポンプ（４００）に繋がっている配水管（４１０）が貫通する、少なくとも一つの配水管孔（１１２）が形成され、
前記配水管孔（１１２）を貫通して前記排水タンク（２００）に配置された前記配水管（４１０）の下端部は、放射状構造に配置された前記貫通孔（１１１）の中心に配置され、
前記排水バルブ（３００）が閉じられている状態で、前記配水管を通じて前記本体（１００）に入れられている汚染水が前記排水タンク（２００）に移動され、
前記排水タンク（２００）に移動された汚染水は、前記貫通孔（１１１）を経て前記本体（１００）の内部に流入され、
前記排水バルブ（３００）がオープンされると、前記本体（１００）内部の水が重力によって前記貫通孔（１１１）及び前記排水バルブ（３００）を通じて外部へ排出され、
前記排水タンク（２００）は、前記下端面（１１０）と一定間隔を置いて離隔されていて、前記排水タンク（２００）と前記下端面の間にはトンネルが形成され、
前記排水タンク（２００）は、前記下端面（１１０）と反対方向に突出されている少なくとも二つの排水部（２１０）を備え、少なくとも二つの前記排水部（２１０）は相互繋がっていて、
前記トンネルは少なくとも二つの前記排水部（２１０）の上端と繋がり、
前記排水部（２１０）それぞれの突出されている端には、前記排水口（２９０）が形成され、
前記排水部（２１０）それぞれの幅は、前記下端面（１１０）と隣接する部分から、前記下端面（１１０）と反対方向の突出されている端へ行くほど小さくなり、
前記下端面（１１０）の中で、前記排水部（２１０）と対向する面に附着された異物及び前記排水部（２１０）の内部に附着された異物は、前記貫通孔（１１１）を通過して前記排水部（２１０）に流入された水によって、前記排水口（２９０）を通じて排出される
ことを特徴とする底面排出式リビングボックス用金魚鉢。
【請求項２】
前記貫通孔（１１１）は放射状構造で前記下端面（１１０）に配置され、
前記配水管孔（１１２）を貫通して前記排水タンク（２００）に配置された前記配水管（４１０）の下端部は前記放射状構造の中心に配置され、
前記貫通孔（１１１）の直径は、前記放射状構造の中心から遠くなるほど段々大きくなる
請求項１に記載の底面排出式リビングボックス用金魚鉢。
【請求項３】
前記排水タンク（２００）に移動された汚染水は、前記貫通孔（１１１）と、微細なカスを取り除くために前記下端面（１１０）の上段に配置された網（１３０）、及び前記網（１３０）の上段に配置されたろ過層を経て前記本体（１００）の内部に流入され、
前記汚染水に含まれた残り物は、前記下端面（１１０）と前記網（１３０）と前記ろ過層によってろ過され、前記汚染水は前記ろ過層を構成する砂にある有用な微生物及びバクテリアによって浄化され、浄化された水が前記本体（１００）の内部に流入され、
前記排水バルブ（３００）がオープンされて、前記本体（１００）内部の水が重力によって、前記ろ過層と前記網（１３０）と前記貫通孔（１１１）及び前記排水バルブ（３００）を通じて外部へ排出されるとき、前記ろ過層及び前記下端面（１１０）と前記網（１３０）によってろ過された残り物が前記水とともに前記排水バルブ（３００）を通じて排出されながら、前記本体（１００）及び前記排水タンク（２００）が掃除される
請求項１に記載の底面排出式リビングボックス用金魚鉢。
【発明の詳細な説明】
【技術分野】
【０００１】
本発明は、亀、トカゲのような、は虫類、並びに魚などを飼うことができるコーン型または平面トンネル型底面排出式リビングボックス用金魚鉢に関するものである。
【背景技術】
【０００２】
ペットに対する関心が増加するとともに、ペットの種類も増加している。例えば、子犬、猫及び魚以外にも、は虫類などもペットとして飼っている。亀、トカゲ及び魚などのペットの排泄物をとり除くために、亀、トカゲ、及び魚が入っている飼育箱（以下、単にリビングボックス用金魚鉢という）は定期的に洗浄しなければならない。しかし、リビングボックス用金魚鉢の大きさが大きくなるほど、リビングボックス用金魚鉢を洗浄する事は管理者に負担を与えていて、リビングボックス用金魚鉢内の排泄物を直接手で触る非衛生的問題点が発生する。また、水を周期的に取り替えて掃除しなければならないなど、少なくない管理が要求される。
【発明の概要】
【発明が解決しようとする課題】
【０００３】
上述した問題点を解決するために、本発明は、ペットが飼育される本体の下端に、前記本体から伝達された汚物を排出させる排水タンクが装着されている、コーン型または平面トンネル型底面排出式リビングボックス用金魚鉢を提供することを課題とする。
【課題を解決するための手段】
【０００４】
上述課題を達成するための本発明によるコーン型または平面トンネル型底面排出式リビングボックス用金魚鉢は、側面１２０と下端面１１０から構成され、上端面は開放されている本体１００；前記下端面１１０と離隔されていて、前記下端面１１０の下へ延長された前記側面１２０に密着して固定され、少なくとも一つの排水口２９０が備えられている排水タンク２００；及び少なくとも一つの前記排水口２９０を開閉させる少なくとも一つの排水バルブ３００を含み、前記本体１００の前記下端面１１０には前記排水タンク２００と貫通される複数の貫通孔１１１が形成され、前記下端面１１０には、前記本体１００に入れられた水を前記排水タンク２００に移動させるために、前記側面１２０に装着されているポンプ４００に繋がっている配水管４１０が貫通する、少なくとも一つの配水管孔１１２が形成され、前記配水管孔１１２を貫通して前記排水タンク２００に配置された前記配水管４１０は、放射状構造に配置された前記貫通孔１１１の中心に配置され、前記排水バルブ３００が閉じられている状態で、前記配水管を通じて前記本体１００に入れられている汚染水が前記排水タンク２００に移動され、前記排水タンク２００に移動された汚染水は、前記貫通孔１１１を経て前記本体１００の内部に流入され、前記排水バルブ３００がオープンされると、前記本体１００内部の水が重力によって前記貫通孔１１１及び前記排水バルブ３００を通じて外部へ排出され、前記排水タンク２００は、前記下端面１１０と一定間隔を置いて離隔されていて、前記排水タンク２００と前記下端面の間にはトンネルが形成され、前記排水タンク２００は、前記下端面１１０と反対方向に突出されている少なくとも二つの排水部２１０を備え、少なくとも二つの前記排水部２１０は相互繋がっていて、前記トンネルは少なくとも二つの前記排水部２１０の上端と繋がり、前記排水部２１０それぞれの突出されている端には、前記排水口２９０が形成され、前記排水部２１０それぞれの幅は、前記下端面１１０と隣接する部分から、前記下端面１１０と反対方向の突出されている端へ行くほど小くなり、前記下端面１１０の中で、前記排水部２１０と対向する面に附着された異物及び前記排水部２１０の内部に附着された異物は、前記貫通孔１１１を通過して前記排水部２１０に流入された水によって、前記排水口２９０を通じて排出されることを特徴とする。
【０００５】
ここで、前記貫通孔１１１は放射状構造で前記下端面１１０に配置され、前記配水管孔１１２を貫通して前記排水タンク２００に配置された前記配水管４１０は前記放射状構造の中心に配置され、前記貫通孔１１１の直径は、前記放射状構造の中心から遠くなるほど段々大きくなってもよい。
【０００６】
前記排水タンク２００に移動された汚染水は、前記貫通孔１１１と、微細なカスを取り除くために前記下端面１１０の上段に配置された網１３０、及び前記網１３０の上段に配置されたろ過層を経て前記本体１００の内部に流入され、前記汚染水に含まれた残り物は、前記下端面１１０と前記網１３０と前記ろ過層によってろ過され、前記汚染水は前記ろ過層を構成する砂にある有用な微生物及びバクテリアによって浄化され、浄化された水が前記本体１００の内部に流入され、前記排水バルブ３００がオープンされて、前記本体１００内部の水が重力によって、前記ろ過層と前記網１３０と前記貫通孔１１１及び前記排水バルブ３００を通じて外部へ排出されるとき、前記ろ過層及び前記下端面１１０と前記網１３０によってろ過された残り物が前記水とともに前記排水バルブ３００を通じて排出されながら、前記本体１００及び前記排水タンク２００が掃除されてもよい。
【発明の効果】
【０００７】
本発明によると、リビングボックス用金魚鉢を掃除する回数が減少し、リビングボックス用金魚鉢を手軽に掃除することができる。
また、本発明によると、魚類を飼育する時、リビングボックス用金魚鉢の底面の全面積が浮流物のフィルタリングと、水質を浄化する微生物のろ過基質として利用されることにより、生物学的ろ過が効果的に行われる。これによって、水族館内の生物の健康と生活状態が最善の状態で維持されることができる。
また、リビングボックス用金魚鉢の管理がより容易に行われる。
【図面の簡単な説明】
【０００８】
【図１】本発明によるコーン型または平面トンネル型底面排出式リビングボックス用金魚鉢の一実施形態の構成図
【図２】本発明によるコーン型または平面トンネル型底面排出式リビングボックス用金魚鉢の一実施形態の断面図
【図３】本発明の他の実施形態によるコーン型または平面トンネル型底面排出式リビングボックス用金魚鉢の断面図
【図４】本発明の他の実施形態によるコーン型または平面トンネル型底面排出式リビングボックス用金魚鉢に適用される本体下端面の一実施形態の平面図
【図５】本体下端面の他の実施形態の平面図
【図６】本体下端面の他の実施形態の平面図
【発明を実施するための形態】
【０００９】
以下、添付図面を参照して本発明の実施形態について詳しく説明する。
図１は本発明によるコーン型または平面トンネル型底面排出式リビングボックス用金魚鉢の一実施形態の構成図であり、図２は本発明によるコーン型または平面トンネル型底面排出式リビングボックス用金魚鉢の一実施形態の断面図である。特に、図２は図１に図示された、本発明によるコーン型または平面トンネル型底面排出式リビングボックス用金魚鉢をＡ方向から見た断面を示した例示図である。
本発明は、亀のような哺乳類、トカゲのような両生類、及び魚などを飼う用途で利用される品物を意味し、以下では、説明の便宜上、前記品物を単にリビングボックス用金魚鉢と言う。
【００１０】
本発明によるリビングボックス用金魚鉢は、図１及び図２に図示されたように、側面１２０と下端面１１０で構成され、上端面は開放されている本体１００、前記下端面１１０と離隔されていて、前記下端面１１０の下へ延長された前記側面１２０に密着して固定され、少なくとも一つの排水口２９０が備えられている排水タンク２００、及び少なくとも一つの前記排水口２９０を開閉させる少なくとも一つの排水バルブ３００を含む。
前記本体１００の前記下端面１１０には、前記排水タンク２００と貫通される複数の貫通孔１１１が形成されている。
【００１１】
本発明の第１実施形態では、前記排水タンク２００が平面で構成されてもよい。
本発明の第２実施形態では、図１及び図２に図示されたように、前記排水タンク２００は前記下端面１１０と反対方向に突出されている少なくとも一つの排水部２１０を含む。この場合、前記排水部２１０の中で突出されている端には前記排水バルブ３００が装着される前記排水口２９０が形成される。
【００１２】
特に、図１及び図２には、二つの前記排水部２１０を含む本発明によるコーン型または平面トンネル型底面排出式リビングボックス用金魚鉢が図示されているが、リビングボックス用金魚鉢の形態や大きさによって排水部２１０が１個以上備えられてもよい。
前記排水部２１０はそれぞれ、円錐、三角錐、四角錐、五角錐、六角錐や平面トンネル式のいずれか一つの形態で形成されてもよい。平面トンネル式排水部とは、排水部の下端面が平面であることを意味する。
特に、図１及び図２には四角錐の形態を持つ二つの前記排水部２１０が図示されている。しかし、前記のように、本発明には四角錐の形態を持つ三つ以上の前記排水部２１０が配置されてもよい。
【００１３】
第一に、前記本体１００は、亀または魚が生活できる空間を形成する。前記本体１００は側面１２０及び下端面１１０を含み、上端面は開放されている。
前記本体１００は図１及び図２に図示されたように、六面体で形成されてもよいが、本発明はこれに限定されるものではない。よって、前記本体１００は多様な形態で形成されてもよい。
前記下端面１１０には前記排水タンク２００と貫通される複数の貫通孔１１１が形成されている。
【００１４】
第二に、前記排水タンク２００は前記下端面１１０と離隔されている。例えば、図２に図示されたように、前記排水タンク２００を構成する二つの前記排水部２１０は前記下端面１１０と一定間隔を置いて離隔されている。前記間隔はトンネルであると言える。また、排水部２１０は、一個、二個、三個、または複数個に設けて構成することができる。
前記排水タンク２００は前記下端面１１０の下へ延長された前記側面１２０に密着して固定されてもよい。
【００１５】
第三に、前記排水バルブ３００は前記排水口２９０を開閉させる機能を有する。
【００１６】
第四に、前記下端面１１０の下へ延長された前記側面１２０には、前記排水タンク２００を支持する支持部５００が形成されてもよい。
しかし、前記排水タンク２００は前記本体と一体で形成されてもよく、または別途の合着物質を通して前記本体１００と締結されることで前記本体１００に固定されてもよい。
【００１７】
図３は本発明の他の実施形態によるコーン型または平面トンネル型底面排出式リビングボックス用金魚鉢の断面図で、図４ないし図６は本発明の他の実施形態によるコーン型または平面トンネル型底面排出式リビングボックス用金魚鉢に適用される本体下端面の一実施形態の平面図である。
本発明の他の実施形態によるリビングボックス用金魚鉢は、前記説明のように、側面１２０と下端面１１０で構成され、上端面は開放されている本体１００、前記下端面１１０と離隔されていて、前記下端面１１０の下へ延長された前記側面１２０に密着して固定され、少なくとも一つの排水口２９０が備えられている排水タンク２００、及び少なくとも一つの前記排水口２９０を開閉させる少なくとも一つの排水バルブ３００を含む。
前記本体１００の前記下端面１１０には、前記排水タンク２００と貫通される複数の貫通孔１１１が形成されている。
【００１８】
特に、図３及び図４に図示されたように、前記リビングボックス用金魚鉢のうち、前記下端面１１０には少なくとも一つの配水管孔１１２が形成されている。
前記側面１２０に装着されているポンプ４００に繋がっている配水管４１０は、前記配水管孔１１２を貫通して前記排水タンク２００に繋がる。
前記ポンプ４００は、前記本体１００に入っている水を前記排水タンク２００に移動させる機能をする。
このために、前記ポンプ４００には、前記本体１００に入っている水を吸いこむ吸入管４２０が装着されていて、前記吸入管４２０を通じて吸入された水は前記ポンプ４００を通して前記配水管４１０に伝達される。
【００１９】
前記配水管４１０の端が前記排水タンク２００に配置されているので、前記配水管４１０を通して伝達された水は、前記排水タンク２００に注入される。この場合、前記貫通孔１１１は、図４に図示されたように、放射状構造で前記下端面１１０に配置されてもよく、前記配水管孔１１２を貫通して前記排水タンク２００に配置された前記配水管４１０は前記放射状構造の中心に配置されてもよい。
前記貫通孔１１１が前記のような構造で配置される理由は、前記配水管４１０から排出された水圧によって、前記排水タンク２００の水が前記貫通孔１１１を通して前記本体１００の内部へよりよく伝達できるようにするためである。
【００２０】
前記のような効果を増大させるために、前記貫通孔１１１の直径は前記放射状構造の中心から遠くなるほど段々大きくなる。
例えば、前記配水管４１０が図４に図示されたように、前記放射状構造の中心に配置されるとき、前記放射状の外郭にある貫通孔１１１２に及ぶ水圧は、前記放射状の中心部分にある貫通孔１１１に及ぶ水圧より低くいこともある。したがって、前記放射状の外郭にある貫通孔１１１の直径を大きくすれば、前記放射状の外郭にある貫通孔１１１を通して前記排水タンク２００の水が前記本体１００方向へよく伝達される。
【００２１】
しかし、前記貫通孔１１１の配置構造は、前述の構造の他にも多様に構成されることができる。
例えば、前記貫通孔１１１は図５に図示されたように、螺旋渦流型に配置されてもよい。
この場合、前記排水タンク２００の水が中央から渦流型で回って上に排出され、縁の方へ行くほど遠心力によって圧力が高くなる。
【００２２】
このような条件において、より効率的に水が移動できるようにするために、前記貫通孔１１１の直径は、図６に図示されたように、前記螺旋渦流型の縁の方へ行くほど大きくなる。この場合、図４で説明したように、水が排出される噴射圧が、螺旋渦流形態の中央から縁までほぼ同一に維持されるか、またはもう少し大きくなることがある。
また、前記貫通孔１１１の個数及び前記配水管４１０の個数も多様に変更されてもよい。この場合、前記配水管４１０が配置される位置も多様に変更されてもよい。
【００２３】
以下では、魚を飼う場合を一例として、図３及び図４に図示されたような本発明によるリビングボックス用金魚鉢の利用方法を説明する。
魚を飼う使用者は、前記本体に水を張って魚を入れる。
この場合、前記下端面１１０の上段には砂１４０などのような、ろ過層が前記貫通孔１１１に漏れないように、前記貫通孔１１１の直径より小直を持つ網１３０などが配置されてもよい。
魚が排出した老廃物または餌の残り物は、前記下端面１１０の上段に溜まる。また、前記本体１００に入れられた水にも各種浮流物が漂う。
【００２４】
前記本体１００を掃除しようとする使用者は前記ポンプ４００を駆動させる。前記ポンプ４００によって、前記吸入管４２０を通じて流入された水は、前記配水管４１０を通じて前記排水タンク２００に流入される。
前記排水タンク２００に流入された水圧によって、前記排水タンク２００内部の水は前記貫通孔１１１を通じて前記本体１００方向に流入される。
【００２５】
この場合、前記吸入管４２０を通じて流入された水に含まれた老廃物は、砂によって押されている前記貫通孔１１１を通過できず、前記貫通孔１１１の周りに附着されたり、前記排水タンク２００に残る。
前記貫通孔１１１を通過する水によって、前記下端面１１０の上段に配置された砂などについていた老廃物が、前記本体１００に入れられた水の中に流入される。前記本体１００に入れられた水の中に流入された老廃物は、前記のような過程を通じて前記排水タンク２００に流入された後、前記排水タンク２００に残る。
【００２６】
前記過程を繰り返しながら、前記下端面１１０の上段に配置された砂などに残っていた老廃物、及び前記水に残っていた老廃物は、前記排水タンク２００に流入された後、前記排水タンク２００に残る。
これによって、前記本体１００に残っている水に老廃物が減少される。
前記過程が一定期間繰り返されると、使用者は前記排水バルブ３００を開放させる。これによって、前記排水タンク２００にあった老廃物が水とともに外部へ排出される。
【００２７】
前記のような本発明によれば、下記のような効果が期待される。
第一に、本発明では底全体がろ過面積として活用できるので、本発明の水質浄化能力は卓越である。すなわち、底全体で逆ろ過過程が行われる際に、大量に繁殖された好気性バクテリアによって、アンモニアや亜硝酸のような窒酸化された毒性が分解される。
第二に、一回水を取り替えるだけでも最上の水質が維持されるので、魚類の成長が卓越であり、観賞魚及び水生生物の生存や彩色、体形などが観賞魚特有の形態を維持することができる。よって、本発明は動物福祉にも寄与することができる。
第三に、掃除する際に、逆になった角状の多角形及び円錐型の底面に装着されたコックが開放されることで、位置エネルギーの自然圧により、底面に付いていた残り物が一瞬で取り除かれる。したがって、本発明によれば、小さい努力でも多量のろ過面積に対する完璧な掃除が可能であり、よって、リビングボックス用金魚鉢が常に清潔な状態で維持される。
第四に、本発明が大型リビングボックス用金魚鉢に適用される場合、水面上にボールトップを設けるし、底面排出ラインを浄化槽として設ける際に、コックを調節するだけでも全ての掃除と注水が自動に行われる。
【００２８】
本発明が属する技術分野における当業者は、本発明がその技術的思想や必須的特徴を変更せずに、他の具体的な形態で実施できる。したがって、以上で述べた実施形態は、全ての面において例示的なものであって、限定的なものではない。本発明の範囲は、前記詳細な説明よりは、後述する特許請求の範囲によって示され、特許請求範囲の意味及び範囲、そしてその等価概念から導き出される全ての変更または変形された形態が本発明の範囲に含まれる。
【符号の説明】
【００２９】
１００: 本体
２００: 排水タンク
３００: 排水バルブ
４００: ポンプ
【図１】
0006433526.tif 000002
【図２】
0006433526.tif 000003
【図３】
0006433526.tif 000004
【図４】
0006433526.tif 000005
【図５】
0006433526.tif 000006
【図６】
0006433526.tif 000007